(57)【要約】【課題】扉位置決め装置の構造を小型にし、その組み立て作業を容易にする。【解決手段】床部１１に起伏自在に設けられた被係止体１と、扉１０に係止手段２と前記被係止体１を起立させる磁石４とを備え、前記係止手段２が前記被係止体１に係合して扉１０の動きを規制する扉位置決め装置において、前記係止手段２は軸部２１とその一端に被係止体１への係合部２０を有し、前記軸部２１はその軸方向に沿って進退自在に前記扉１０に支持されて、前記係合部２０は、いわゆる「プッシュ−プッシュ機構」により被係止体１への係合可能位置Ｄと、その係合可能位置Ｄから床部１１側へ退避した退避位置Ｅとの間に移動可能であり、且つその係合可能位置Ｄ及び退避位置Ｅで固定できる構成とした。このようにすれば、装置を軸部の軸線方向に沿ってコンパクトにすることができるとともに、軸線方向に沿って部材が並んで組み立てられるので、その組み立て作業が容易である。【選択図】図１
2008057224.tif 000002
【特許請求の範囲】
【請求項１】
床部１１、天井部又は壁部に起伏自在に設けられた被係止体１と、扉１０の周縁部に係止手段２と前記被係止体１を磁力の作用により起立させる磁石４とを備え、前記係止手段２が、前記起立状態の前記被係止体１に係合することにより前記扉１０の開閉方向への動きを規制する扉位置決め装置において、
前記係止手段２は軸部２１とその軸部２１の一端２１ｅに前記被係止体１への係合部２０を有し、前記軸部２１はその軸方向に沿って進退自在に前記扉１０に支持され、その進退により、前記係合部２０は、前記被係止体１への係合可能位置Ｄと、その係合可能位置Ｄから前記床部１１側、天井部側又は壁部側へ退避した退避位置Ｅとの間に移動可能であり、前記係合部２０は、前記係合可能位置Ｄで固定できることを特徴とする扉位置決め装置。
【請求項２】
前記係合部２０は、前記退避位置Ｅで固定できることを特徴とする請求項１に記載の扉位置決め装置。
【請求項３】
前記軸部２１は、その他端２１ａに軸状の回転カム部材２２の一端２２ｆを接続されるとともに、その回転カム部材２２の他端２２ｅに軸状の昇降カム部材２３の一端２３ｆが接続されており、前記軸部２１、回転カム部材２２及び昇降カム部材２３はそれぞれ前記扉１０に取付けたラッチユニット３０の収納孔３１に挿通されてその軸方向に進退自在に支持され前記軸部２１は一端２１ｅ側から他端２１ａ側へ向かって付勢されており、
前記昇降カム部材２３は前記ラッチユニット３０に対しその軸周りに回転が規制されるとともにその昇降カム部材２３に周方向一定ピッチの波形凹凸２３ａ，２３ｂが形成されて、その波形凹凸２３ａ，２３ｂに前記回転カム部材２２の外周に設けた突出子２２ａの他端側端面２２ｂが噛み合うようになっており、前記収納孔３１の内周には一端側に開口した軸方向の長溝３２及び一端側に開口して前記長溝３２よりも軸方向長さの短い短溝３４が形成されて、前記突出子２２ａが前記長溝３２及び短溝３４内に入り込むことができるようになっており、
前記付勢力により前記突出子２２ａが前記長溝３２内に入り込むと、前記係合部２０は前記係合可能位置Ｄに固定され、前記突出子２２ａが前記短溝３４内に入り込むと、前記他端側端面２２ｂが前記短溝３４の終端部３４ａに係止されて前記係合部２０は前記退避位置Ｅに固定され、前記波形凹凸２３ａ，２３ｂ及び他端側端面２２ｂの噛合いにより、前記昇降カム部材２３の他端２３ｅを一端２３ｆ側へ押すと、前記回転カム部材２２が一端２２ｆ側へ進出して前記突出子２２ａは前記長溝３２又は短溝３４内から離脱するとともに前記回転カム部材２２が軸周り回転し前記突出子２２ａは前記離脱した長溝３２又は短溝３４に隣接する他の短溝３４又は長溝３２に誘導されることを特徴とする請求項２に記載の扉位置決め装置。
【請求項４】
前記ラッチユニット３０を、前記扉１０に対して一端側から他端側に向かって付勢したことを特徴とする請求項１乃至３のいずれかに記載の扉位置決め装置。
【発明の詳細な説明】
【技術分野】
【０００１】
この発明は、通路や各種収納空間等を開閉する扉を、所定位置で開閉方向に動かないように固定する扉位置決め装置に関するものである。
【背景技術】
【０００２】
この種の扉位置決め装置として、例えば、特許文献１に示すものがある。この扉位置決め装置は、床に設けられた起伏自在の被係止体と、扉の下端部に設けられた横方向に揺動自在の係止手段とから成り、扉が所定の開閉位置に達したとき、扉側の係止手段に設けられた磁石で床側の被係止体を引き上げて斜めに起立させ、その起立した被係止体の先端部に向かって係止手段を揺動させて両者を係合させる。この係合により、扉が所定位置で固定され、その位置から開閉方向に動作するのを防止している。
また、この扉位置決め装置は、前記係止手段の揺動を規制するロック手段を備えているので、意に反して係止手段が揺動し、扉の係止が外れることを防止している。
【特許文献１】特開２００３−４９５７４号公報
【発明の開示】
【発明が解決しようとする課題】
【０００３】
上記ロック手段は、係止手段の揺動を規制するために、その係止手段の揺動部分を動かないように保持するロック部材を備える。このロック部材は、前記係止手段の揺動機構とは独立した進退機構を備える。このため、装置内に動作方向が異なる部材が介在することとなり、装置が大型化するという問題がある。
また、ロック手段を構成する部材と、係止手段を構成する部材とが別々の動作機構、すなわち揺動機構と進退機構に基づいて設けられているので、その組み立て作業が繁雑であるという問題もある。
【０００４】
そこで、この発明は、扉位置決め装置の構造を小型にするとともに、その組み立て作業を容易にすることを課題とする。
【課題を解決するための手段】
【０００５】
上記課題を解決するために、この発明は、床部、天井部又は壁部に起伏自在に設けられた被係止体と、扉の周縁部に係止手段と前記被係止体を磁力の作用により起立させる磁石とを備え、前記係止手段が、前記起立状態の前記被係止体に係合することにより前記扉の開閉方向への動きを規制する扉位置決め装置において、前記係止手段は軸部とその軸部の一端に前記被係止体への係合部を有し、前記軸部はその軸方向に沿って進退自在に前記扉に支持され、その進退により、前記係合部は、前記被係止体への係合可能位置と、その係合可能位置から前記床部側、天井部側又は壁部側へ退避した退避位置との間に移動可能であり、前記係合部は、前記係合可能位置で固定できることを特徴とする扉位置決め装置の構成を採用した。
【０００６】
この構成によれば、係止手段は、前記軸方向進退により被係止体に係脱可能な位置と、その係脱可能な位置から退避した位置との間に移動する構成となり、その係止手段による扉の係止が外れることを防止する手段は、前記係合部を前記係合可能位置で固定できる手段、すなわち、その係止手段の軸方向の動きを止める機構で足りる。このため、ロック手段を構成する部材を簡素にすることができる。
なお、係止手段の軸方向の動きを止める機構としては、例えば、前記係止手段を構成する軸部、及びその軸部を支える扉側にそれぞれ設けられ、相互に係脱可能なストッパ機構を採用することができる。
そのストッパ機構としては、係止手段の所定の進退位置で相互に係合して前記係止手段の軸方向の動きを止める凹部（溝や孔を含む）と凸部の組合わせ、相互に係合して係止手段の軸方向の動きを止める段部同士の組合わせ、あるいは相互に係合する凹部（溝や孔を含む）とその凹部に向かって抜き差し可能なピンなどが考えられる。ストッパ機構を、凹部や凸部、あるいは段部、ピンなどで構成すれば、その構成が簡単であり装置を小型化できる。また、その組み立て作業も容易である。
【０００７】
また、前記係合部は、前記係合可能位置での固定に加え、前記退避位置で固定できる構成を採用してもよい。係合部が退避位置で固定できれば、扉位置決め装置を使用しない際に、その係合部を構成する部材等が、扉の開閉動作を阻害することがないので便利である。
この退避位置で係止手段の軸方向の動きを止める機構としては、前記係合可能位置での固定の際に例示したものと同様のものを採用できる。
【０００８】
さらに、前記係止手段を、前記係合可能位置と前記退避位置とで固定できる構成において、いわゆる「プッシュ−プッシュ機構」を採用することもできる。
その構成は、前記軸部が、その他端に軸状の回転カム部材の一端が接続されるとともに、その回転カム部材の他端に軸状の昇降カム部材の一端が接続されており、前記軸部、回転カム部材及び昇降カム部材はそれぞれ前記扉に取付けたラッチユニットの収納孔に挿通されてその軸方向に進退自在に支持され前記軸部は一端側から他端側へ向かって付勢されており、前記昇降カム部材は前記ラッチユニットに対しその軸周りに回転が規制されるとともにその昇降カム部材に周方向一定ピッチの波形凹凸が形成されて、その波形凹凸に前記回転カム部材の外周に設けた突出子の他端側端面が噛み合うようになっており、前記収納孔の内周には一端側に開口した軸方向の長溝及び一端側に開口して前記長溝よりも軸方向長さの短い短溝が形成されて、前記突出子が前記長溝及び短溝内に入り込むことができるようになっており、前記付勢力により前記突出子が前記長溝内に入り込むと、前記係合部は前記係合可能位置に固定され、前記突出子が前記短溝内に入り込むと、前記他端側端面が前記短溝の終端部に係止されて前記係合部は前記退避位置に固定され、前記波形凹凸及び他端側端面の噛合いにより、前記昇降カム部材の他端を一端側へ押すと、前記回転カム部材が一端側へ進出して前記突出子は前記長溝又は短溝内から離脱するとともに前記回転カム部材が軸周り回転し前記突出子は前記離脱した長溝又は短溝に隣接する他の短溝又は長溝に誘導されることを特徴とする扉位置決め装置の構成とすることができる。
【０００９】
この構成によれば、係止手段の軸方向進退、及び前記係合可能位置での係止手段の固定、あるいは前記退避位置での係止手段の固定が、いわゆる「プッシュ−プッシュ機構」により簡単に動作させることができる。
「プッシュ−プッシュ機構」は、軸部の軸線方向に沿ってその機構をコンパクトに収納することができるので、扉位置決め装置の構造をさらに小型にすることができる。また、軸線方向に沿って部材が並んで組み立てられ、各部材の動作が一連の動きで作用するので、組み立て作業が容易である。
【００１０】
さらに、前記ラッチユニットを、前記扉に対して一端側から他端側に向かって付勢した構成とすれば、扉を開閉する際に、係止手段が被係止体に係合しやすくなるのでなお好ましい。
【発明の効果】
【００１１】
この発明は、以上のようにしたので、扉位置決め装置の構造を小型にするとともに、組み立て作業を容易にすることができる。
【発明を実施するための最良の形態】
【００１２】
この発明の実施形態を、図面に基づいて説明する。この実施形態は、家屋等の居室内に設けられ蝶番を介して開閉自在である扉１０を、所定の開閉位置で動かないように固定する扉位置決め装置である。
【００１３】
装置の構成は、図１に示すように、床部１１側に設けられる起伏自在の被係止体１と、扉１０側に設けられる係止手段２、その係止手段２を、床部１１から起きあがった状態の前記被係止体１に対して係合できる位置（係合可能状態Ｄ）に、及び前記係合可能状態Ｄから床部１１側へ退避して係合できない位置（退避位置Ｅ）にそれぞれ固定するロック手段３等を備えている。
【００１４】
被係止体１は、床部１１に固定されたフラットな支持部材５に、ピン等を介して支持されており、その被係止体１の先端１ａには、被係止体１が起きあがった状態（図１に示す状態）で下向きとなる突部が設けられている。また、被係止体１は、伏せられた状態で、前記支持部材５に収納されて床部１１上に突出しないようになっており、その支持部材５には、被係止体１を伏せられた状態に固定する手段（図示せず）が設けられている。
【００１５】
係止手段２、ロック手段３等は、扉１０の下端部に取付けられたケース４０、そのケース４０に昇降自在に設けられたラッチユニット３０によって扉１０に支持されている。
ケース４０は、図３に示すように、左右一対のケース４０ａ，４０ｂとからなり、係止用穴４１，４２に挿通して扉１０に打ち込まれた固定用ピン１２，１２によってその扉１０に固定される。また、左右のケース４０ａ，４０ｂは、横方向のボルトによって連結されて一体となっている。
【００１６】
さらに、ケース４０の下部には、磁石４を収納し固定する凹状の磁石収納部４４が設けられている。この磁石収納部４４に磁石４が収納され、扉１０の開閉動作とともに、その磁石４の直下に前記被係止体１が位置した時、その磁力の吸引力で被係止体１を起きあがらせることができる。
【００１７】
ラッチユニット３０は、その左右一対のケース４０ａ，４０ｂ間に固定される。図２に示すように、ラッチユニット３０の両側に設けられた突条３５，３５が、ケース４０の固定溝４５，４５内に嵌って、そのラッチユニット３０が固定溝４５の長さ方向に摺動自在となっている。また、ラッチユニット３０は、ケース４０のコイルバネ収納部４６内にスペーサ４７を介して設けられたコイルバネ３９によって、扉１０及びケース４０に対して図１の上方へ付勢されている。コイルバネ３９は、ラッチユニット３０側に設けたコイルバネ固定用突起３６によって支持されている。
なお、図中の符号４８は、被係止体１の先端１ａが当接する弧状の当たり部４８であり、符号４９はカバーである。カバー４９の両側面にそれぞれ設けた対の突起（図示せず）が、図中の長溝４３ａ及び支持凹部４３ｂに嵌って、カバー４９は、その支持凹部４３ｂに嵌った突起を中心として上下方向に回動可能に支持される。長溝４３ａは、その回動の際のガイドの役割を果たす。
【００１８】
ラッチユニット３０には、上下方向に伸びる収納孔３１が設けられており、図１に示すように、その上部が収納孔小径部３１ｂ、下部が収納孔大径部３１ａとなっている。
その収納孔小径部３１ｂの内周には、収納孔３１の長さ方向に伸びる長溝３２を挟んで両側に案内突条３３，３３が、その案内突条３３，３３のさらに外側にそれぞれ短溝３４，３４が形成されて、すなわち、収納孔３１の内周に沿って、案内突条３３、長溝３２、案内突条３３、短溝３４、案内突条３３、長溝３２・・・の順に各溝、突条が全周に亘って形成されている。
各案内突条３３の一端（下端）３３ａは、それぞれ同一方向へ向く傾斜面に形成されており、各短溝３４の他端側終端部３４ａも、隣接する一方の案内突条３３の前記一端３３ａと同一直線上に連続する同一勾配の傾斜面となっている（図９参照）。
なお、短溝３４の他端側終端部３４ａよりもさらに他端側（上方）の内周は、前記案内突条３３よりもやや低い浅溝３４’となっている（図５参照）。    
【００１９】
係止手段２は、前記収納孔３１に挿通される断面円形の軸部２１と、その軸部２１の一端２１ｅに設けられた係合部２０を備えている。係合部２０は、その先端２０ａに突部が形成されており、その先端２０ａの突部が、前記被係止体１の先端１ａの突部に係合する。また、その先端２０ａに傾斜部２０ｂが形成されているので、被係止体１がスムースに係合状態に至るようガイドする働きをする。
【００２０】
軸部２１の他端２１ａは先細りのテーパー状に形成されており、その軸部２１は、他端２１ａ側から一端２１ｅ側に向かって、小径部２１ｂ、大径部２１ｄが形成されている。大径部２１ｄには、環状の溝で構成されるバネ係止部２１ｃが設けられている。
この軸部２１が、ラッチユニット３０の収納孔大径部３１ａに嵌めて固定された固定用ベース部材２５の孔部２５ｂに挿通される。このとき、係合部２０は、弧状に形成された背面部２０ｃが、前記固定用ベース部材２５の弧状面２５ｃに当接する。
【００２１】
その軸部２１の他端２１ａに、軸状の回転カム部材２２の一端２２ｆが接続される。回転カム部材２２は、周方向に沿って等間隔の突出子２２ａを有しており、その各突出子２２ａの他端側端面２２ｂは、それぞれ周方向に沿って同一方向へ傾く傾斜面となっている。また、回転カム部材２２には、一端２２ｆ側に開口する断面円形の孔部２２ｄが形成されており、その孔部２２ｄの奥端部２２ｃに、前記軸部２１の他端２１ａが当接する。
【００２２】
このとき、固定用ベース部材２５のコイルバネ収納部２５ａ内に収納されたコイルバネ２４の他端２４ａが、前記軸部２１のバネ係止部２１ｃに係合しており、その軸部２１を一端２１ｅ側から他端２１ａ側へ向かって付勢する。また、前記奥端部２２ｃと前記軸部２１の他端２１ａとの当接により、前記回転カム部材２２も一端２２ｆ側から他端２２ｅ側へ向かって付勢される。
【００２３】
その回転カム部材２２の他端２２ｅに、軸状の昇降カム部材２３の一端２３ｆが接続される。昇降カム部材２３は、その一端２３ｆに、周方向に沿って波形凹凸２３ａ，２３ｂが形成されており、その波形凹凸の凹部２３ａ及び波形凹凸の凸部２３ｂは、等間隔に交互に、且つそれぞれ同じ高さで形成されている。  
また、昇降カム部材２３の外周部には、波形凹凸の凸部２３ｂ先端を通る軸方向の中心線と合致する中心線を有する矩形の案内凸部２３ｃが形成されている。案内凸部２３ｃは、前記浅溝３４’内に入り込んで、その浅溝３４’内で軸方向へ移動可能な形状及び高さを有する突出部で構成されている。
さらに、昇降カム部材２３には、一端２３ｆ側へ開口する断面円形の孔部２３ｄが形成されておりその孔部２３ｄ内に、前記回転カム部材２２の他端２２ｅが挿入されて、両カム部材２２，２３同士が軸周り相対回転可能な状態となっている。
【００２４】
上記の構成から、前記軸部２１、回転カム部材２２及び昇降カム部材２３は、それぞれ前記扉１０に取付けたラッチユニット３０に対しその軸方向に進退自在に支持され、また、係合部２０は、そのラッチユニット３０の係止手段収納溝３８内、及び両案内部材３７，３７間に保持される。
この軸部２１、回転カム部材２２及び昇降カム部材２３等を備えたラッチユニット３０が、前記係止手段２及び前記ロック手段３としての機能を有する。
【００２５】
その係止手段２及びロック手段３の作用について、以下説明する。
前記昇降カム部材２３は、前記案内凸部２３ｃが前記浅溝３４’内に入り込んで、前記ラッチユニット３０に対し、その進退可能範囲全長に亘り軸周りの回転が規制されている。また、その昇降カム部材２３の波形凹凸２３ａ，２３ｂに、前記回転カム部材２２の突出子２２ａの他端側端面２２ｂが噛み合っている。
【００２６】
いま、図９（ａ）に示すように、前記収納孔３１の内周に形成した短溝３４内に、前記回転カム部材２２の突出子２２ａが入り込んでおり、その突出子２２ａの端面２２ｂが、短溝３４の終端部３４ａに当接して、その位置から他端側（上方）への移動が規制されている。
【００２７】
この状態で、回転カム部材２２は、軸部２１を介してコイルバネ２４により常に他端側に向かって付勢されているため、その回転カム部材２２、軸部２１及び係合部２０は軸方向へ固定された状態となっている。このとき、係合部２０は、図１に示す退避位置Ｅの状態である。
【００２８】
昇降カム部材２３の他端２３ｅを一端２３ｆ側へ向かって手で押すと、昇降カム部材２３が、図９（ｂ）に矢印ａで示すように移動し、前記端面２２ｂ及び終端部３４ａを介して、回転カム部材２２が前記コイルバネ２４の付勢力に抗して押されて、突出子２２ａが短溝３４内から矢印ｂのように離脱する。
【００２９】
突出子２２ａが短溝３４内から離脱すると、同図矢印ｃに示すように、突出子２２ａが周方向へ移動する。コイルバネ２４の付勢力により、突出子２２ａの傾斜した端面２２ｂが、同方向に傾斜する波形凹凸２３ａ，２３ｂの傾斜面２３ｇに摺動するからである。
【００３０】
昇降カム部材２３の他端２３ｅを押していた手を離すと、あるいはその押す力を緩めると、コイルバネ２４の付勢力により、図９（ｃ）に矢印ｅに示すように、突出子２２ａが周方向へ移動して前記長溝３２内に入り込む位置に案内されるとともに、突出子２２ａは、その長溝３２内に矢印ｆのように深く入り込んで、昇降カム部材２３を矢印ｄのように押し上げる。
回転カム部材２２の他端２２ｅが、前記ラッチユニット３０の収納孔３１の大径部３１ａと小径部３１ｂとの境の段部に当たると、その位置から他端側（上方）への移動が規制される。
【００３１】
この状態で、回転カム部材２２は、軸部２１を介してコイルバネ２４により常に他端側に向かって付勢されているため、その回転カム部材２２、軸部２１及び係合部２０は軸方向へ固定された状態となっている。このとき、係合部２０は、図１に示す係合可能位置Ｄの状態である。
【００３２】
前述のように、収納孔３１の内周に沿って、案内突条３３、長溝３２、案内突条３３、短溝３４、案内突条３３、長溝３２・・・の順に各溝、突条が全周に亘って形成されているので、このように昇降カム部材２３の他端２３ｅを押す操作を繰り返すことにより、ワンアクションで、係合部２０を係合可能位置Ｄと退避位置Ｅとの間に交互に移動させることができ、また、その移動の都度、各位置Ｄ，Ｅで固定（ロック）することができる。
【００３３】
被係止体１と係止手段２との係脱の際の作用について説明すると、係合部２０が、前記係合可能位置Ｄにある状態において、扉１０を蝶番周りに回動させると、ケース４０に固定された磁石４の直下に前記被係止体１が位置した際に、その被係止体１は磁力の作用により起き上がる。このとき、被係止体１を伏せられた状態に固定する手段は、固定解除状態とする。
さらに扉１０を回動させると、前記係合部２０の先端２０ａの突部が、前記起立状態の前記被係止体１の先端１ａの突部に係合することにより前記扉１０の開閉方向への動きを規制するようになる。このとき、ラッチユニット３０は、ケース４０に対して上方へ付勢されているので、係合部２０の先端２０ａの突部が、被係止体１の先端１ａの突部を乗り越える際の動きがその弾性力で吸収されてスムースな動作が可能である。
【００３４】
前記扉１０を開閉可能な状態にする際には、昇降カム部材２３の他端２３ｅを押すことにより、係合部２０は退避位置Ｅに移動するので、被係止体１と係合部２０との係合は解除されて扉１０は自由に開閉可能な状態とすることができる。
【００３５】
この実施形態では、被係止体１を床部１１に設けたが、この実施形態には限定されず、被係止体１は壁部や天井部に設けることも可能である。このとき、係止手段２等は、扉１０の周縁部における前記被係止体１に対向可能な位置に設けることとなる。
【００３６】
また、この実施形態では、係止手段２を係合可能位置Ｄ及び退避位置Ｅ間に移動させる手段、及び各位置Ｄ，Ｅで前記係止手段２を固定する手段として、「プッシュ−プッシュ機構」を採用し、係止手段２を前記各位置Ｄ，Ｅで固定するためにラッチユニット３０に対し所定の軸方向位置（２箇所）で係合する回転カム部材２２を採用し、その回転カム部材２２の軸周り回転を、昇降カム部材２３を押し込む操作に基づいて動作できるようにしたが、他の実施形態として、例えば、前記回転カム部材２２に相当する部材の軸周り回転を手動で行うようにした構成も考えられる。
すなわち、係止手段２が軸部２１とその軸部２１の一端に前記被係止体１への係合部２０を有し、前記軸部２１はその軸方向に沿って進退自在に前記扉１０に支持され、その進退により、前記係合部２０は、前記被係止体１への係合可能位置Ｄと退避位置Ｅとの間に移動可能であり、その係合部２０が係合可能位置Ｄ及び退避位置Ｅで固定できる構成であれば、プッシュ−プッシュ機構以外の周知の固定手段を採用することができる。
【００３７】
このとき、前述のコイルバネ２４のように、軸部２１に上方への付勢力が作用していれば、例えば、係合部２０が所定の進退位置（前記係合可能位置Ｄ及び退避位置Ｅ）にある状態で、相互に係合して前記軸部２１の軸方向上方への動きを止める段部を、その軸部２１及びラッチユニット３０の双方に対向して設ける構成を採用することができる。
また、軸部２１に前記上方への付勢力が作用していなければ、相互に係合して前記軸部２１の軸方向上方及び下方への動きを止める凹部（溝や孔を含む）と凸部の組合わせ、あるいは相互に係合して前記軸部２１の軸方向上方及び下方への動きを止める凹部（溝や孔を含む）とその凹部に向かって抜き差し可能なピンの組合わせを、その軸部２１及びラッチユニット３０の双方に対向して設ける構成を採用することができる。
【図面の簡単な説明】
【００３８】
【図１】一実施形態の断面図
【図２】係止手段の分解斜視図
【図３】ケースの斜視図
【図４】係止手段の部品構成を示す斜視図
【図５】ラッチユニットを示し、（ａ）は平面図、（ｂ）は要部切断側面図
【図６】昇降カム部材を示し、（ａ）は正面図、（ｂ）は平面図、（ｃ）は底面図、（ｄ）は切断正面図
【図７】回転カム部材を示し、（ａ）は正面図、（ｂ）は平面図
【図８】扉位置決め装置を扉に固定した状態を示し、（ａ）は平面図、（ｂ）は、その取付けた扉位置決め装置を扉側から見た側面図
【図９】ラッチユニット、昇降カム部材、回転カム部材の作用図
【符号の説明】
【００３９】
１  被係止体
１ａ  先端
２  係止手段
３  ロック手段
４  磁石
５  支持部材
１０  扉
１１  床部
１２  固定用ピン
２０  係合部
２０ａ  先端
２０ｂ  傾斜部
２０ｃ  背面部
２１  軸部
２１ａ  他端
２１ｂ  小径部
２１ｃ  バネ係止部
２１ｄ  大径部
２１ｅ  一端
２２  回転カム部材
２２ａ  突出子
２２ｂ  他端側端面
２２ｃ  奥端部
２２ｄ  孔部
２２ｅ  他端
２２ｆ  一端
２３  昇降カム部材
２３ａ  波形凹凸の凹部
２３ｂ  波形凹凸の凸部
２３ｃ  案内凸部
２３ｄ  孔部
２３ｅ  他端
２３ｆ  一端
２３ｇ  傾斜面
２４，３９  コイルバネ（弾性部材）
２５  固定用ベース部材
２５ａ  コイルバネ収納部
３０  ラッチユニット
３１  収納孔
３１ａ  収納孔大径部
３１ｂ  収納孔小径部
３２  長溝
３３  案内突条
３４  短溝
３４’  浅溝
３４ａ  終端部
３５  突条
３６  コイルバネ固定用突起
３７  案内部材
３８  係止手段収納溝
４０  ケース
４１，４２  係止用穴
４３ａ  長溝
４３ｂ  支持凹部
４４  磁石収納部
４５  固定溝
４６  コイルバネ収納部
４７  スペーサ
４８  当たり部
【図１】
2008057224.tif 000003
【図２】
2008057224.tif 000004
【図３】
2008057224.tif 000005
【図４】
2008057224.tif 000006
【図５】
2008057224.tif 000007
【図６】
2008057224.tif 000008
【図７】
2008057224.tif 000009
【図８】
2008057224.tif 000010
【図９】
2008057224.tif 000011